(57)【要約】【課題】キャリングハンドルとしての機能を有するアンテナを可搬型装置本体と一体化でき、持ち運ぶ際に邪魔にならず安全なアンテナ装置およびそれを用いた放送受信装置を提供する。【解決手段】フラットパネルディスプレイ装置１００のディスプレイ部１の上部にキャリングハンドル兼用アンテナ装置１０１を設ける。上記キャリングハンドル兼用アンテナ装置１０１は、弧側の一部が直線の第１辺と弦側の第２辺とを有する半楕円形状であり、第１辺の長さを動作周波数帯の高域側周波数の略１／２波長とし、第２辺の長さを受信周波数帯の低域側周波数の略１／２波長とする。上記キャリングハンドル兼用アンテナ装置１０１を支持装置５により回動自在に支持する。【選択図】図１
2006174207.tif 000002
【特許請求の範囲】
【請求項１】
可搬型装置を把持するためのキャリングハンドルとしての機能を有するアンテナを備えたことを特徴とするアンテナ装置。
【請求項２】
請求項１に記載のアンテナ装置において、
上記アンテナがダイポールアンテナであることを特徴とするアンテナ装置。
【請求項３】
請求項２に記載のアンテナ装置において、
上記ダイポールアンテナの全長が、受信周波数帯の低域側周波数の波長の略１／２であることを特徴とするアンテナ装置。
【請求項４】
請求項２または３に記載のアンテナ装置において、
上記ダイポールアンテナがＴ型形状であることを特徴とするアンテナ装置。
【請求項５】
請求項１に記載のアンテナ装置において、
上記アンテナがループアンテナであることを特徴とするアンテナ装置。
【請求項６】
請求項１乃至５のいずれか１つに記載のアンテナ装置において、
上記アンテナが環状であることを特徴とするアンテナ装置。
【請求項７】
請求項６に記載のアンテナ装置において、
上記アンテナが環状の導体棒であり、
上記環状の導体棒の内周の長さが、受信周波数帯の高域側周波数の１波長〜２波長であり、上記環状の導体棒の外周の長さが、受信周波数帯の低域側周波数の１波長〜２波長であることを特徴とするアンテナ装置。
【請求項８】
請求項６に記載のアンテナ装置において、
上記アンテナは、一方の底辺の長さが動作周波数帯の高域側周波数の略１／２波長であり、他方の底辺の長さが受信周波数帯の低域側周波数の略１／２波長である台形状をしていることを特徴とするアンテナ装置。
【請求項９】
請求項６に記載のアンテナ装置において、
上記アンテナは、弧側の一部が直線の第１辺と弦側の第２辺とを有する半楕円形状であり、上記第１辺の長さが動作周波数帯の高域側周波数の略１／２波長であり、上記第２辺の長さが受信周波数帯の低域側周波数の略１／２波長であることを特徴とするアンテナ装置。
【請求項１０】
請求項２乃至９のいずれか１つに記載のアンテナ装置において、
上記アンテナは、絶縁体からなるキャリングハンドル部と、上記キャリングハンドル部内に内蔵されたアンテナ部とを有することを特徴とするアンテナ装置。
【請求項１１】
請求項１乃至１０のいずれか１つに記載のアンテナ装置を備えたことを特徴とする放送受信装置。
【請求項１２】
請求項１１に記載の放送受信装置において、
上記アンテナ装置を回動自在に支持する支持装置を備えたことを特徴とする放送受信装置。
【請求項１３】
請求項１２に記載の放送受信装置において、
上記支持装置は、上記アンテナ装置の長手方向を軸に上記アンテナ装置を回動自在に支持する絶縁体からなる支持部を有することを特徴とする放送受信装置。
【請求項１４】
請求項１１に記載の放送受信装置において、
上記アンテナ装置による受信状態を表示するフラットパネルディスプレイを備えたことを特徴とする放送受信装置。
【請求項１５】
請求項１２に記載の放送受信装置において、
上記支持装置により回動自在に支持される上記アンテナ装置が、放送受信装置本体の裏面側に配置可能なようにしたことを特徴とする放送受信装置。
【請求項１６】
請求項１２に記載の放送受信装置において、
上記アンテナ装置を、放送受信装置本体内の導電体部を放送電波の反射板として利用可能なように配置したことを特徴とする放送受信装置。
【請求項１７】
請求項１１に記載の放送受信装置において、
放送受信装置本体に回転自在に支持された回転部と、上記回転部に設けられた台座と、上記台座に設けられ上記アンテナ装置を回動自在に支持する上記支持部とを有する支持装置と、
上記回転部の内側を通る同軸線路を介して上記アンテナ装置に接続された給電回路部と
を備えたことを特徴とする放送受信装置。
【請求項１８】
請求項１１に記載の放送受信装置において、
放送受信装置本体の側面に備えられた側面アンテナと、
上記アンテナ装置と上記側面アンテナにより受信された信号を受けて、上記アンテナ装置または上記側面アンテナのいずれか一方からの信号を選択して出力するアンテナスイッチと、
上記アンテナスイッチにより選択された信号を受けるチューナと
を備えたことを特徴とする放送受信装置。
【請求項１９】
請求項１１に記載の放送受信装置において、
放送受信装置本体の側面に備えられた側面アンテナと、
上記アンテナ装置と上記側面アンテナにより受信された信号を合成すると共に、入力ポート相互間にアイソレーションを有する電力合成器と、
上記電力合成器により合成された信号を受けるチューナと
を備えたことを特徴とする放送受信装置。
【請求項２０】
請求項１８または１９に記載の放送受信装置において、
上記側面アンテナを複数有することを特徴とする放送受信装置。
【請求項２１】
請求項１９に記載の放送受信装置において、
上記アンテナ装置と上記電力合成器との間および上記側面アンテナと上記電力合成器との間に、上記アンテナ装置と上記側面アンテナにより受信された信号から放送信号を濾波するフィルタと、上記フィルタにより濾波された信号を増幅して上記電力合成器に出力する増幅器と
を備えたことを特徴とする放送受信装置。
【発明の詳細な説明】
【技術分野】
【０００１】
この発明は、アンテナ装置および放送受信装置に関し、特に、ＶＨＦ帯以上のアンテナ特性を有するアンテナ装置および放送受信装置に関する。
【背景技術】
【０００２】
従来の第１のアンテナ装置としては、図１０に示すようなＴＶ(television：テレビジョン)の室内アンテナ２００が提案されている(例えば、特開昭６４−６７００９号公報(特許文献１)参照)。この図１０示すＴＶの室内アンテナ２００は、テレビ受像機上またはテレビ受像機の周囲に配置され、ＶＨＦ帯乃至ＵＨＦ帯の地上放送波に対応している。上記室内アンテナ２００は、ＵＨＦ帯用のループアンテナ２０１およびＶＨＦ帯用のロッドアンテナ２０２ａ,２０２ｂで構成されている。また、感度切り替え等のスイッチ等(図示せず)も有している。
【０００３】
また、従来の第２のアンテナ装置としては、図１１に示すようなロッドアンテナ２０３がある。このロッドアンテナ２０３は、携帯ＴＶや液晶ＴＶ等の小型テレビ２１０に搭載され、小型テレビ２１０と一体となっており、回転機能および伸縮機能を有している。
【０００４】
上記従来の第１,第２のアンテナ装置としての室内アンテナ２００やロッドアンテナ２０３を有する小型テレビ２１０は、すでに製品化され広く使用されている。
【０００５】
ところで、図１０に示す第１のアンテナ装置としての室内アンテナでは、次の２つの課題がある。
【０００６】
(１)  室内アンテナ２００はＴＶ受像機に外付けであり、薄型の携帯ＴＶまたは液晶ＴＶの上面に設置できず、他の場所に置く必要があるために余分な場所を占有していた。
【０００７】
(２)  室内アンテナ２００は、帯域幅の確保が難しく、ループアンテナやロッドアンテナの向きおよび感度調整スイッチ等を、視聴しているチャンネルごとに最適な画質になるように調整する必要があった。
【０００８】
また、図１１に示す第２のアンテナ装置としてのロッドアンテナでは、次のような課題があった。
【０００９】
(１)  通常、室内アンテナ２１０で受信した地上波のＴＶ信号では、良好な映像特性を得ることが困難であるという問題があった。また、視聴するチャンネルに応じて、ロッドアンテナの長さ(共振長)を変えたり、方向等を調整したりする必要があった。
【００１０】
(２)  加えて、ロッドアンテナ２０３は、周囲の物にぶつかったり、折れたり、本体自体が倒れたりして、使い難いという問題があった。
【００１１】
特に昨今は、ディスプレイのフラット化により、ＴＶが持ち運び可能となりＴＶを視聴する場所の制約が緩くなった。さらに、ロッドアンテナ等を使用することで、壁に設置されているアンテナコネクタやそのアンテナコネクタに接続されるアンテナケーブル等に制約されることなく、ＴＶをユーザーの所望の場所で視聴することが可能となる。しかしながら、このように可搬が容易なＴＶでは、持ち運びに際し、上述のロッドアンテナ等が周囲の物や人体等に接触する危険性が高くなるという問題がある。
【特許文献１】特開昭６４−６７００９号公報
【発明の開示】
【発明が解決しようとする課題】
【００１２】
そこで、この発明の目的は、キャリングハンドルとしての機能を有するアンテナを可搬型装置本体と一体化でき、持ち運ぶ際に邪魔にならず安全なアンテナ装置およびそれを用いた放送受信装置を提供することにある。
【００１３】
また、この発明のもう一つの目的は、十分な帯域幅が確保でき、チャンネルごとに共振長等の調整を必要としないアンテナ装置およびそれを用いた放送受信装置を提供することにある。
【課題を解決するための手段】
【００１４】
上記構成の放送受信装置によれば、
上記目的を達成するため、この発明のアンテナ装置は、可搬型装置を把持するためのキャリングハンドルとしての機能を有するアンテナを備えたことを特徴とする。
【００１５】
上記構成のアンテナ装置によれば、可搬型装置を把持するためのキャリングハンドルとしてアンテナを兼用することによって、屋内のどこでも可搬型装置を持ち運んで、外部アンテナを別に接続することなく放送を視聴することができる。また、アンテナにキャリングハンドルとしての機能を有しているので、可搬多型装置を把持する際には、アンテナそのものを把持することとなり、搬送の際にアンテナを周囲の物や人体等に接触させる危険性をほとんどなくすことができる。さらに、例えば可搬型装置の上部にアンテナを一体型で設けることによって、可搬型装置本体からの雑音等の影響が少なく、広帯域特性に優れた高性能アンテナを提供できる。なお、このアンテナ装置は、持ち運び易さや安定性の点で上記可搬型装置の上部につけたほうが、電波の反射の影響や、物体による遮断の影響を軽減できる。なお、上記アンテナは、持ち安さや強度の観点から、直径１〜３ｃｍのパイプ状の導体物で構成して断面積を大きくすることにより、アンテナとしての帯域幅特性を広帯域化でき、アンテナ利得を向上できる。
【００１６】
また、一実施形態のアンテナ装置は、上記アンテナがダイポールアンテナであることを特徴とする。
【００１７】
上記実施形態のアンテナ装置によれば、例えば可搬型装置の上部にキャリングハンドルとして兼用するダイポールアンテナを設けることによって、アンテナの指向性に対して、装置内の導電板や回路等の影響を極力小さくすることができる。可搬型装置の前面側,裏面側のどちらの方向からの電波も受信することができる。
【００１８】
また、一実施形態のアンテナ装置は、上記ダイポールアンテナの全長が、受信周波数帯の低域側周波数の波長の略１／２であることを特徴とする。
【００１９】
上記実施形態のアンテナ装置によれば、ダイポールアンテナの長さ(全長)を、低域側周波数帯の下限周波数の波長の略１／２とすることにより、受信周波数４７０ＭＨz〜７２０ＭＨzの地上デジタル放送波を効率よく受信することができる。つまり、地上デジタル放送の受信周波数は４７０ＭＨz〜７２０ＭＨzであるが、主に低域側周波数である４７０ＭＨz〜６００ＭＨzの周波数の略１／２波長に対応した長さにすることにより、デジタル放送波を効率よく受信することができる。これは、デジタル放送波が受信周波数帯の低域側に偏っていることに対応させるのみならず、低域側にシフトさせることにより、８００ＭＨz〜３ＧＨz帯で使われている携帯電話や無線ＬＡＮ等の影響を軽減することができる。
【００２０】
また、一実施形態のアンテナ装置は、上記ダイポールアンテナがＴ型形状であることを特徴とする。
【００２１】
上記実施形態のアンテナ装置によれば、上記ダイポールアンテナは、中心から両側に夫々長さ略λ／４波長のＴ型形状とすることにより、重心が偏ることなく安定性を有した形状のキャリングハンドルを容易に実現することができる。
【００２２】
また、一実施形態のアンテナ装置は、上記アンテナがループアンテナであることを特徴とする。
【００２３】
上記実施形態のアンテナ装置によれば、上記可搬型装置の上部にループアンテナを設けることによって、持ちやすいループアンテナをキャリングハンドルに兼用することが可能である。
【００２４】
また、一実施形態のアンテナ装置は、上記アンテナが環状であることを特徴とする。
【００２５】
上記実施形態のアンテナ装置によれば、上記アンテナを環状にすることによって、握りやすく持ち運びに優れるのみならず、アンテナとしての実効面積を確保でき、アンテナ利得も向上できる。
【００２６】
また、一実施形態のアンテナ装置は、上記アンテナが環状の導体棒であり、上記環状の導体棒の内周の長さが、受信周波数帯の高域側周波数の１波長〜２波長であり、上記環状の導体棒の外周の長さが、受信周波数帯の低域側周波数の１波長〜２波長であることを特徴とする。なお、上記環状の導体棒は、中空であることが好ましい。
【００２７】
上記実施形態のアンテナ装置によれば、上記アンテナに環状の導体棒を用いることによって、断面積を例えば人がつかみやすい直径２ｃｍ〜３ｃｍ程度にできるために、導体損が小さく広帯域幅特性に優れ、環状の導体棒の内周および外周の長さの差異を用いて、アンテナの共振波長を変えることができるため、広帯域特性に優れた高性能のアンテナを実現することができる。
【００２８】
また、一実施形態のアンテナ装置は、上記アンテナが、一方の底辺の長さが動作周波数帯の高域側周波数の略１／２波長であり、他方の底辺の長さが受信周波数帯の低域側周波数の略１／２波長である台形状をしていることを特徴とする。
【００２９】
上記実施形態のアンテナ装置によれば、上記アンテナは、導体損が小さく帯域幅特性に優れるのみならず、台形状の一方の底辺の長さが動作周波数帯の高域側周波数の略１／２波長とし、他方の底辺の長さ(＞一方の底辺の長さ)が動作周波数帯の低域側周波数の略１／２波長とすることによって、動作周波数の低域側,高域側でも共振できるため、広帯域幅特性にすぐれた高性能アンテナを実現できる。
【００３０】
また、一実施形態のアンテナ装置は、上記アンテナが、弧側の一部が直線の第１辺と弦側の第２辺とを有する半楕円形状であり、上記第１辺の長さが動作周波数帯の高域側周波数の略１／２波長であり、上記第２辺の長さが受信周波数帯の低域側周波数の略１／２波長であることを特徴とする。
【００３１】
上記実施形態のアンテナ装置によれば、上記アンテナは、導体損が小さく帯域幅特性に優れるのみならず、半楕円形状の第１辺の長さが動作周波数帯の高域側周波数の略１／２波長とし、第２辺の長さ(＞第１辺の長さ)が動作周波数帯の低域側周波数の略１／２波長とすることによって、動作周波数の低域側,高域側でも共振できるため、広帯域幅特性にすぐれた高性能アンテナを実現できる。
【００３２】
また、一実施形態のアンテナ装置は、上記アンテナが、絶縁体からなるキャリングハンドル部と、上記キャリングハンドル部内に内蔵されたアンテナ部とを有することを特徴とする。
【００３３】
上記実施形態のアンテナ装置によれば、絶縁体からなるキャリングハンドル部として例えば樹脂状のパイプの中に、導体線や導電性材質でダイポールアンテナやループアンテナ等のアンテナ部を設けることによって、加工性,デザイン性にすぐれたキャリングハンドルが可能となり、取り付けが容易で低コストなキャリングハンドル兼用のアンテナが得られる。
【００３４】
また、この発明の放送受信装置は、上記のいずれか１つに記載のアンテナ装置を備えたことを特徴とする。
【００３５】
上記実施形態の放送受信装置によれば、キャリングハンドルとしての機能を有するアンテナを備えたアンテナ装置を用いることによって、持ち運びが容易にできると共に、外部アンテナへの接続が不要となり、本体から分離しているために雑音の影響を受け難くなり、さらに周囲の空気との接触面積が大きく、アンテナとしての実効面積も確保しやすくなる。したがって、良好なアンテナ性能が得られる。
【００３６】
また、一実施形態の放送受信装置は、上記アンテナ装置を回動自在に支持する支持装置を備えたことを特徴とする。
【００３７】
上記構成の放送受信装置によれば、上記アンテナ装置を回動自在に支持する支持装置を備えることによって、電波が到来する最適方向にアンテナの向きを調整することができ、放送受信装置本体の向きを変えることなく、アンテナの向きを変えることができるため、ユーザーにとって使い勝手のよい放送受信装置を提供できる。
【００３８】
また、一実施形態の放送受信装置は、上記支持装置が、上記アンテナ装置の長手方向を軸に上記アンテナ装置を回動自在に支持する絶縁体からなる支持部を有することを特徴とする。
【００３９】
上記実施形態の放送受信装置によれば、絶縁体からなる支持部がアンテナ装置の長手方向を軸にアンテナ装置を回動自在に支持することによって、可搬型装置側の給電回路と支持部を分離することができると共に、キャリングハンドルとしての強度を確保できる。また、上記支持部は、絶縁体からなるためにアンテナの性能に与える影響を小さくできる。加えて、上記支持装置の支持部がアンテナ自体の機能とは独立しているために、回転機能や折りたたみ機能を持たせることができる。
【００４０】
また、一実施形態の放送受信装置は、上記アンテナ装置による受信状態を表示するフラットパネルディスプレイを備えたことを特徴とする。
【００４１】
上記実施形態の放送受信装置によれば、上記フラットパネルディスプレイによりアンテナの受信状態を表示することによって、設置場所が受信可能なエリアなのかどうかを使用者に分かるようにできる。
【００４２】
また、一実施形態の放送受信装置は、上記支持装置により回動自在に支持される上記アンテナ装置が、放送受信装置本体の裏面側に配置可能なようにしたことを特徴とする。
【００４３】
上記実施形態の放送受信装置によれば、キャリングハンドルを兼ねるアンテナ装置を折りたたんで、フラットパネルディスプレイの裏面に配置することができ、キャリングハンドルを放送受信装置本体から邪魔にならないようにできる。
【００４４】
また、一実施形態の放送受信装置は、上記アンテナ装置を、放送受信装置本体内の導電体部を放送電波の反射板として利用可能なように配置したことを特徴とする。
【００４５】
上記実施形態の放送受信装置によれば、キャリングハンドルを兼ねるアンテナ装置は、折りたたんだ状態でも、フラットパネルディスプレイのシャーシ等を放送電波の反射板として利用してアンテナを動作させることによって、アンテナの性能を向上させることができる。
【００４６】
また、一実施形態の放送受信装置は、放送受信装置本体に回転自在に支持された回転部と、上記回転部に設けられた台座と、上記台座に設けられ上記アンテナ装置を回動自在に支持する上記支持部とを有する支持装置と、上記回転部の内側を通る同軸線路を介して上記アンテナ装置に接続された給電回路部とを備えたことを特徴とする。
【００４７】
上記実施形態の放送受信装置によれば、上記支持装置の回転部,台座の部分および支持部の部分に、２軸の回転機能を持たせることが可能となる。これにより、一方の軸を用いて水平面に沿ってアンテナ装置を回転させることにより、フラットパネルディスプレイの側面方向からの水平偏波の信号を受信することができ、他方の軸を用いて鉛直面に沿ってアンテナ装置を回転させることができるため、上記アンテナ装置を最適な電波の到来方向に調整することができる。
【００４８】
さらに、給電回路部からの同軸線路を上下方向に配置することができる。つまり同軸線路が回転部を通ってアンテナ装置と接続されるため、回転に伴う同軸線路の力学的負荷を低減することができ、受信感度が高く信頼性の高い放送受信装置を実現できる。
【００４９】
また、一実施形態の放送受信装置は、放送受信装置本体の側面に備えられた側面アンテナと、上記アンテナ装置と上記側面アンテナにより受信された信号を受けて、上記アンテナ装置または上記側面アンテナのいずれか一方からの信号を選択して出力するアンテナスイッチと、上記アンテナスイッチにより選択された信号を受けるチューナとを備えたことを特徴とする。
【００５０】
上記実施形態の放送受信装置によれば、側面に搭載された側面アンテナとアンテナ装置で受信することによって、屋内受信環境下で、マルチパス信号波を効率良く受信することができ、より受信可能な受信方向を広くすることできる。
【００５１】
また、一実施形態の放送受信装置は、放送受信装置本体の側面に備えられた側面アンテナと、上記アンテナ装置と上記側面アンテナにより受信された信号を合成すると共に、入力ポート相互間にアイソレーションを有する電力合成器と、上記電力合成器により合成された信号を受けるチューナとを備えたことを特徴とする。
【００５２】
上記実施形態の放送受信装置によれば、地上波デジタル放送等のＯＦＤＭ変調で、ガードインターバルを有した信号波に対して、屋内環境下でのマルチパス信号波の影響が殆ど無視できるため、アンテナ装置と側面アンテナとを含めた２つ以上の複数のアンテナからの出力を、ポートアイソレーションを有する電力合成器で合成する。これにより、アンテナ出力を平均化することができ、ＴＶチューナ等からの制御が不要となるため、簡易で高速なダイバシティ受信が可能となる。なお、２つのアンテナ出力が逆位相の場合は、キャリングハンドル部の回転部を回転調整することにより、逆位相合成を回避でき、より合成出力を大きくすることができる。
【００５３】
また、一実施形態の放送受信装置は、上記側面アンテナを複数有することを特徴とする。
【００５４】
上記実施形態の放送受信装置によれば、アンテナ装置と複数の側面アンテナで３つ以上のアンテナ出力を合成するため、アンテナから出力信号は平均化され、逆位相合成の確率を小さくすることができる。なお、アンテナ装置の回転機能との併用により、同位相合成の確率を高くすることもできる。
【００５５】
また、一実施形態の放送受信装置は、上記アンテナ装置と上記電力合成器との間および上記側面アンテナと上記電力合成器との間に、上記アンテナ装置と上記側面アンテナにより受信された信号から放送信号を濾波するフィルタと、上記フィルタにより濾波された信号を増幅して上記電力合成器に出力する増幅器とを備えたことを特徴とする。
【００５６】
上記実施形態の放送受信装置によれば、上記複数のアンテナの出力を合成する前に、フィルタと増幅器を備えることによって、電力合成および接続時に発生する電力損失を補償するのみならず、低雑音増幅ができ、実質的なＣＮ(キャリア対ノイズ比)値を向上することができると共に、アナログＴＶ放送波や携帯電話、無線ＬＡＮおよび電子レンジからの不要電波の影響を防ぐことができる。
【発明の効果】
【００５７】
以上より明らかなように、この発明のアンテナ装置および放送受信装置によれば、液晶ＴＶや携帯ＴＶ等やＴＶチューナ機能が搭載されたノートＰＣ(Personal Computer：パーソナルコンピュータ)等の可搬型装置のアンテナにキャリングハンドルの機能を持たせることによって、余分なスペースを必要とせず、周囲の物や人体に接触する危険性をなくすことができ、安全で、使い勝手に優れたものとなる。
【００５８】
また、十分な帯域幅が確保でき、高性能のアンテナ装置およびアンテナ接続不要な放送受信装置が可能となる。
【発明を実施するための最良の形態】
【００５９】
以下、この発明のアンテナ装置および放送受信装置を図示の実施の形態により詳細に説明する。
【００６０】
(第１実施形態)
図１はこの発明の第１実施形態のアンテナ装置を用いた放送受信装置の一例としてのフラットパネルディスプレイ装置の斜視図である。この第１実施形態では、フラットパネルディスプレイ装置は液晶ＴＶ(television：テレビジョン)等の薄型ＴＶである。
【００６１】
図１において、液晶ＴＶや液晶モニター装置であるフラットパネルディスプレイ装置１００は、支持台２とスタンド９により支持されたディスプレイ部１と、上記ディスプレイ部１の上部かつ裏面側に設けられ、環状の形状の一例として半楕円形状を有したキャリングハンドル兼用アンテナ装置１０１を備えている。上記キャリングハンドル兼用アンテナ装置１０１は、回転,折りたたみできるように、上記支持台２に支持装置５を介して取り付けられている。
【００６２】
上記キャリングハンドル兼用アンテナ装置１０１は、導体棒の一例としての直径２ｃｍ〜３ｃｍ程度のアルミ材等の導体の空洞パイプで形成されており、その導体の空洞パイプの両端を絶縁部３９により接続して環状にしている。上記キャリングハンドル兼用アンテナ装置１０１そのものが、環状の一例として半楕円形状の形状を有し、これが、動作周波数で１波長の周囲長のループアンテナを構成している。上記キャリングハンドル兼用アンテナ装置１０１の下側中央部に、アンテナの信号線路のインピーダンスを略３００Ωから７５Ω不平衡系に変換する給電回路部４を設けている。
【００６３】
また、図２(a)は、フラットパネルディスプレイ装置１００の正面方向と裏面方向からの電波を受信するために、キャリングハンドル兼用アンテナ装置１０１を立てて使用するときの図を示し、図２(b)は、キャリングハンドル兼用アンテナ装置１０１を折りたたんで使用するときの図を示し、図２(c)は、フラットパネルディスプレイ装置１００の側面方向からの電波を受信するために、キャリングハンドル兼用アンテナ装置１０１を立てて使用するときの図を示している。
【００６４】
上記キャリングハンドル兼用アンテナ装置１０１は、図２(a)に示すように、持ち運び用のキャリングハンドルとして用いる場合の他に、アンテナとして使用した場合、電波の到来方向が、正面方向(２０a)または裏面方向(２０b)から到来するときは、通常キャリングハンドル兼用アンテナ装置１０１は立てて使用し、また、電波の方向が、上記フラットパネルディスプレイ装置１００の側面方向(２０cまたは２０d)から到来するときは、キャリングハンドル兼用アンテナ装置１０１を回転させて、図２(c)の状態で使用することが可能である。さらに、電波の到来方向が、上記フラットパネルディスプレイ装置１００からの裏面方向(２０b)からのみの場合は、図２(b)に示すように、折りたたん(ディスプレイ部１の裏面に重ねた状態)で使用することも可能であり、フラットパネルディスプレイ装置１００の裏面シャーシ部等の金属の導体部１０により、上記アンテナの反射板として使用することも可能である。さらに、上記キャリングハンドル兼用アンテナ装置１０１を使用していないときは、折りたたんだ状態にしておくことも可能である。
【００６５】
また、図３(a)は、キャリングハンドル兼用アンテナ装置１０１の回路構成図を示し、図３(b)は、半楕円形状のキャリングハンドル兼用アンテナ装置１０１の第１の構成図を示し、図３(c)は、半楕円形状のキャリングハンドル兼用アンテナ装置１０１の第２の構成図を示している。
【００６６】
図３(b)に示すように、環状のキャリングハンドル兼用アンテナ装置１０１は、半楕円形状の一周略１波長のループアンテナである。導電棒の一例としての直径略２ｃｍの導体パイプ(アルミ製パイプ)で構成したループアンテナの内側の一周は、ＵＨＦ帯ＴＶ放送の高域側周波数(７２０ＭＨz)の波長：λ１＝４８ｃｍに相当し、外側の一周(外周)は、ＵＨＦ帯ＴＶ放送の低域側周波数(４７０ＭＨz)の波長：λ２＝６４ｃｍに相当する。上記キャリングハンドル兼用アンテナ装置１０１の給電回路部４は、平衡３００Ωから不平衡７５Ωにインピーダンス変換するバラン変換回路を有し、キャリングハンドル兼用アンテナ装置１０１で受信した信号は、不平衡７５Ω同軸線路１３を介してフィルタ・アンプ部８に入力される。上記同軸線路１３には同軸ケーブルを用いる。
【００６７】
上記フィルタ・アンプ部８により、ＶＨＦ帯のアナログ放送や無線ＬＡＮ(Local Area Network：ローカル・エリア・ネットワーク)、携帯電話等の帯域外不要信号を抑圧し、本来のＴＶ周波数のＵＨＦ帯信号のみを取り出して増幅する。この後、上記フラットパネルディスプレイ装置１００のアンテナ端子１１に接続される。一方、上記フィルタ・アンプ部８の電源は、フラットパネルディスプレイ装置１００の電源端子１２より供給される。
【００６８】
なお、上記構成では、導体パイプの内周と外周の長さで、ＵＨＦ帯の低域用と高域用としたが、半楕円形状のキャリングハンドル兼用アンテナ装置１０１(図３(c)に示す)またはコーナーに丸みを帯びた台形状のキャリングハンドル兼用アンテナ装置においては、第１辺３３を高域側周波数の約１／２波長(λhigh／２)とし、高域信号を主に共振させ、かつ第２辺３４を低域側周波数の約１／２波長(λlow／２)として、低域側信号を主に共振させるような構成とすることによっても、受信帯域幅を拡大することができる。また、形状は、上下逆の形状で、第１辺３３が低域側周波数の約１／２波長(λlow／２)とし、第２辺３４が高域側周波数の約１／２波長(λhigh／２)としても構わない。
【００６９】
また、図４は上記キャリングハンドル兼用アンテナ装置の支持装置５の詳細を示す模式図を示しており、図４に従って２軸の回転機構について説明する。
【００７０】
上記支持装置５は、図４に示すように、ディスプレイ部１(図１に示す)に回転自在に支持された円筒形の回転部５１と、上記回転部５１上に設けられた台座５２と、上記台座５２に設けられ、キャリングハンドル兼用アンテナ装置１０１を回転自在に支持する絶縁体からなる２つの支持部５３で構成されている。上記２つの支持部５３に孔部５４を夫々設け、その孔部５４にキャリングハンドル兼用アンテナ装置１０１の下側を挿通させて取り付けている。上記キャリングハンドル兼用アンテナ装置１０１は、ディスプレイ部１に対して前後方向(矢印Ｒ１の方向)に回転でき、円筒形の回転部５１によりディスプレイ部１に対して水平面に沿って矢印Ｒ２の方向に回転できるようになっている。ここで給電回路部４やフィルタ・アンプ部８は円筒形の回転部５１中に配置されている。キャリングハンドル兼用アンテナ装置１０１に給電回路部４,フィルタ・アンプ部８を介して同軸線路１３の一端を接続している。上記同軸線路１３は、円筒形の回転部５１の中心部を通り、さらに支持台２(図１に示す)を通って、アンテナ端子１１(図１に示す)に接続されている。
【００７１】
上記のような支持装置５の構成では、１０ｋg〜２０数ｋg程度のフラットパネルディスプレイ装置のキャリングハンドルとして利用することができると共に、２軸回転することができることからアンテナの方向調整も容易にできる。加えて、上記同軸線路１３も円筒形の回転部５１の中央部を通すだけであり、回転することによる同軸線路１３の力学的負荷等は極めて小さい。
【００７２】
上記構成のキャリングハンドル兼用アンテナ装置１０１を、フラットパネルディスプレイ装置１００を把持するためのキャリングハンドルとして兼用することによって、屋内のどこでもフラットパネルディスプレイ装置１００を持ち運んで、外部アンテナを別に接続することなく放送を視聴することができる。また、フラットパネルディスプレイ装置１００の上部にキャリングハンドル兼用アンテナ装置１０１が一体型で構成されることによって、フラットパネルディスプレイ装置１００本体からの雑音等の影響が少なく、広帯域特性に優れた高性能アンテナを提供することができる。また、キャリングハンドル兼用アンテナ装置１０１は、持ち安さや強度の観点から、直径１〜３ｃｍのパイプ状の導体物で構成して断面積を大きくすることにより、アンテナとしての帯域幅特性を広帯域化でき、アンテナ利得を向上できる。
【００７３】
また、上記キャリングハンドル兼用アンテナ装置１０１を環状にすることによって、持ち運びにも優れるのみならず、アンテナ実効面積を確保でき、アンテナ利得も向上できる。
【００７４】
また、上記キャリングハンドル兼用アンテナ装置１０１に環状の導体棒の一例として導体の空洞パイプを用いることによって、断面積を例えば人が握りやすい直径２ｃｍ〜３ｃｍ程度にできるために、導体損が小さく広帯域幅特性に優れ、環状の導体棒の内周および外周の長さの差異を用いて、アンテナの共振波長を変えることができ、さらに広帯域特性に優れた高性能のアンテナを実現することができる。
【００７５】
また、上記キャリングハンドル兼用アンテナ装置１０１は、導体損が小さく帯域幅特性に優れるのみならず、半楕円形状の第１辺３３の長さが動作周波数帯の高域側周波数の略１／２波長とし、第２辺３４の長さが動作周波数帯の低域側周波数の略１／２波長とすることによって、動作周波数の低域側,高域側でも共振できるため、広帯域幅特性にすぐれた高性能アンテナを実現することができる。
【００７６】
また、フラットパネルディスプレイ装置１００は、キャリングハンドルとしての機能を有するキャリングハンドル兼用アンテナ装置１０１を用いることによって、持ち運びが容易にできると共に、外部アンテナへの接続が不要となり、本体から分離しているために雑音の影響を受け難くなり、さらに周囲の空気との接触面積が大きく、アンテナ実効面積も確保しやすくなる。したがって、良好なアンテナ性能が得られる。
【００７７】
また、上記キャリングハンドル兼用アンテナ装置１０１を回動自在に支持する支持装置５を備えることによって、電波が到来する最適方向にアンテナの向きを調整することができ、フラットパネルディスプレイ装置１００本体の向きを変えることなく、アンテナの向きを変えることができるため、ユーザーにとって使い勝手のよいフラットパネルディスプレイ装置１００を提供できる。
【００７８】
また、絶縁体からなる支持部５３,５３がキャリングハンドル兼用アンテナ装置１０１の長手方向を軸にキャリングハンドル兼用アンテナ装置１０１を回動自在に支持することによって、フラットパネルディスプレイ装置１００側の給電回路４と支持部５３,５３を分離することができると共に、キャリングハンドルとしての強度を確保できる。また、上記支持部５３,５３は、絶縁体で構成されているためにアンテナの性能に与える影響を小さくできる。加えて、上記支持装置５の支持部５３,５３がアンテナ自体の機能とは独立しているために、回転機能や折りたたみ機能を持たせることができる。
【００７９】
また、上記ディスプレイ部１によりキャリングハンドル兼用アンテナ装置１０１の受信状態を表示することによって、設置場所が受信可能なエリアなのかどうかを使用者に分かるようにできる。
【００８０】
また、キャリングハンドル兼用アンテナ装置１０１を折りたたんで、フラットパネルディスプレイ装置１００の裏面に配置することができ、キャリングハンドル兼用アンテナ装置１０１をフラットパネルディスプレイ装置１００本体から邪魔にならないようにできる。
【００８１】
また、キャリングハンドル兼用アンテナ装置１０１は、折りたたんだ状態でも、フラットパネルディスプレイ装置１００のシャーシ等の導体部１０を放送電波の反射板として利用してアンテナ動作させることによって、アンテナ性能を向上させることができる。
【００８２】
また、上記支持装置５の回転部５１,台座５２の部分および支持部５３,５３の部分により、２軸の回転機能を持たせることにより、回転部５１の軸を用いて水平面に沿ってキャリングハンドル兼用アンテナ装置１０１を回転させることにより、フラットパネルディスプレイ装置１００の側面方向からの水平偏波の信号を受信することができ、他方の軸を用いて鉛直面に沿ってキャリングハンドル兼用アンテナ装置１０１を回転させることができるため、上記キャリングハンドル兼用アンテナ装置１０１を最適な電波の到来方向に調整することができる。
【００８３】
さらに、給電回路部４からの同軸線路１３を上下方向に配置することで、同軸線路１３が回転部５１を通ってキャリングハンドル兼用アンテナ装置１０１と接続されるため、回転に伴う同軸線路１３に働く力学的負荷を低減することができ、信頼性の高いフラットパネルディスプレイ装置１００を実現することができる。
【００８４】
(第２実施形態)
図５はこの発明の第２実施形態のアンテナ装置を用いた放送受信装置の一例としてのフラットパネルディスプレイ装置の斜視図である。この第２実施形態のフラットパネルディスプレイ装置は、キャリングハンドル兼用アンテナ装置の形状を除いて第１実施形態の図１に示すフラットパネルディスプレイ装置と同一の構成部を有し、同一構成部は同一の参照番号を付して説明を省略し、図２〜図４を援用する。
【００８５】
なお、図１では、キャリングハンドル兼用アンテナ装置１０１を半楕円形状としたが、この第２実施形態のキャリングハンドル兼用アンテナ装置１０２は、図５に示すように、長円形状とし、長さλ／２波長のおり返しダイポールアンテナとしている。図５に示すキャリングハンドル兼用アンテナ装置１０２は、第１実施形態の図１に示すキャリングハンドル兼用アンテナ装置１０１の場合と同様に、導電棒の一例としての導体の空洞パイプの直径を２ｃｍ程度として、内周をＵＨＦ帯の高域側周波数の１波長(λ１)、外周をＵＨＦ 帯の低域側周波数の１波長(λ２)としている。
【００８６】
この第２実施形態のフラットパネルディスプレイ装置は、キャリングハンドル兼用アンテナ装置が半楕円形状である特徴を除いて第１実施形態のフラットパネルディスプレイ装置と同様の効果を有する。
【００８７】
(第３実施形態)
図６はこの発明の第３実施形態のアンテナ装置を用いた放送受信装置の一例としてのフラットパネルディスプレイ装置の斜視図である。図６において、第１実施形態の図１に示すフラットパネルディスプレイ装置と同一の構成部を有し、同一構成部は同一の参照番号を付して説明を省略する。
【００８８】
この第３実施形態のキャリングハンドル兼用アンテナ装置１０３では、図６に示すように、Ｔ型の形状とし、長さ１／２波長のダイポールアンテナの構成としている。
【００８９】
図６のキャリングハンドル兼用アンテナ装置１０３の場合は、半径１ｃｍ〜３ｃｍ程度として導体の空洞パイプの断面積を大きくすることによって、ＵＨＦ帯の周波数帯域幅を確保している。
【００９０】
好ましくは、ダイポールアンテナを用いたキャリングハンドル兼用アンテナ装置１０３は、受信周波数帯の低域側周波数の波長をλlowとしたとき、全長を略λlow／２としている。つまり、ダイポールアンテナの長さ(全長)を、低域側周波数で略λ／２(λlow／２)とすることにより、地上デジタル放送波を効率よく受信することができる。具体的には、地上デジタル放送を受信した場合、受信周波数は４７０ＭＨz〜７２０ＭＨzであるが、主に低域側周波数４７０ＭＨz〜６００ＭＨzで、略λ／２(λlow／２)に対応した全長にすることにより、地上デジタル放送波を効率よく受信することができる。これは、デジタル放送波の周波数帯が低域側に偏っているのみならず、低域側にシフトさせることにより、家庭内で使用されている８００ＭＨz〜３ＧＨz帯の携帯電話や無線ＬＡＮ等の影響(デジタル放送波からみたときの雑音の影響)等を、より軽減することができる。
【００９１】
この第３実施形態のパネルディスプレイ装置は、キャリングハンドル兼用アンテナ装置が半楕円形状である特徴を除いて第１実施形態のフラットパネルディスプレイ装置と同様の効果を有する。
【００９２】
上記ダイポールアンテナを用いたキャリングハンドル兼用アンテナ装置１０３によれば、アンテナの指向性に対して、装置内の導電板や回路等の影響を極力小さくすることができる。
【００９３】
また、上記ダイポールアンテナを中心から両側に夫々長さ略λ／４波長のＴ型形状とすることにより、重心が偏ることなく安定性を有した形状のキャリングハンドルを容易に実現することができる。
【００９４】
(第４実施形態)
図７にこの発明の第４実施形態のアンテナ装置を用いた放送受信装置の一例としてのフラットパネルディスプレイ装置の斜視図である。第１実施形態と異なるところは、キャリングハンドル兼用アンテナ装置が２軸の回転機能を持つことなく、１軸の回転機能を有し、フラットパネルディスプレイ装置が側面アンテナを有することである。
【００９５】
上記フラットパネルディスプレイ装置のキャリングハンドル兼用アンテナ装置１０１は、ディスプレイ部１の上部に、逆アーチ型、長円形や長方形、または正方形に導体のパイプを用いてループアンテナまたは折り返しダイポールアンテナやダイポールアンテナを取り付けてもよい。上記キャリングハンドル兼用アンテナ装置１０１では、受信する電波の到来方向は、正面方向２０aまたは、裏面方向２０bの２方向が主体となる。
【００９６】
一方、上記フラットパネルディスプレイ装置の側面方向から到来する電波の方向２０c,２０dは、側面に設けられた側面アンテナ３０b,３０cで、受信される。上記側面アンテナ３０b,３０cは、マイクロストリップラインパッチアンテナや逆F型アンテナ等を用い、望ましくは、側面アンテナ３０b,３０cは、夫々、側面方向からの電波の方向２０c,２０dに対応して、指向性を有していることが望ましい。ここでは、側面方向は、ディスプレイ部１の画面に対して、必ずしも直角である必要はなく傾斜していても構わない。
【００９７】
また、放送受信装置が録画装置等の場合は、側面アンテナ３０b,３０cはダイポールアンテナであっても構わない。
【００９８】
また、地上波デジタル放送においては、ＯＦＤＭ変復調技術とガードインターバルを用いている。そのため、図８に示すように、ポートアイソレーションを有する電力合成器１９により、同一周波数で複数アンテナの出力を合成するような構成をとっても構わない。
【００９９】
つまり、上記キャリングハンドル兼用アンテナ装置１０１と、側面アンテナ３０b,３０cのアンテナ出力を、ウルキンソン型電力合成器１９で直接合成する構成である。なお、図８において、８aはキャリングハンドル兼用アンテナ装置１０１と電力合成器１９との間に設けられたフィルタ・アンプ部であり、８bは側面アンテナ３０bと電力合成器１９との間に設けられたフィルタ・アンプ部であり、８cは側面アンテナ３０cと電力合成器１９との間に設けられたフィルタ・アンプ部である。
【０１００】
上記ウルキンソン型合成器１９は、３つのアンテナ入力端子Pin_a、Pin_b、Pin_cの相互間のアイソレーションが確保できているため、３つのアンテナ(１０１,３０b,３０c)で受信した信号は、それぞれキャリングハンドル兼用アンテナ装置１０１、側面アンテナ３０b、側面アンテナ３０c同士が、互いに放射パターンで影響しあうことが無く、独立のアンテナ放射パターンを有した出力信号として電力合成され、出力端子Poutから出力される。ここで、同一周波数で、このようなポートアイソレーションを有する電力合成器１９による単純合成の場合、３つの位相と振幅が夫々異なったデジタル放送の信号として合成されることになる。
【０１０１】
このような遅延波の合成においては、１)キャリアに変調されている情報信号の遅延と、２)合成時における搬送波の位相関係が重要である。
【０１０２】
ここでまず、１)のキャリアに変調されている情報信号の遅延については、上記３つのアンテナの遅延波が、上記ＯＦＤＭ変調信号のガードインターバルの範囲内であれば、ＯＦＤＭ変調信号を誤りなく復調信号に復号することができる。具体的には、ＵＨＦ帯の地上デジタル放送で決められているガードインターバル長が１２６μ秒,２５２μ秒であり、この１２６μ秒,２５２μ秒の信号遅延は、距離に換算して３５km〜７０kmに相当し、ビル等からの多重反射信号の遅延を想定して設定されている。
【０１０３】
これにより結果的に、遅延波に対する耐性は著しく強力であり、上記１)については大きな問題にはならない。従って屋内受信環境下では、遅延波の影響として考慮する必要があるのは、上記２)の搬送波の位相関係であり、とりわけ逆位相合成に注意すればよい。上記キャリングハンドル兼用アンテナ装置１０１、側面アンテナ３０b、側面アンテナ３０cを用いたフラットパネルディスプレイ装置では、少なくとも３方向からのアンテナの出力を合成し、合成した各チャンネルの位相・振幅は平均化され、逆位相関係で合成される確率は小さくなり、容易にダイバシティ効果を得ることができる。
【０１０４】
ここでは、３つのアンテナからの信号を合成したが、合成されるアンテナ数が多ければ多いほど、合成出力の平均化効果は大きくなり、より良好なダイバシティ効果を得ることができる。なお、キャリングハンドル部の回転機能との併用により、逆相合成を避け、同相合成に近づけることができるため、合成するアンテナの数は、計２つであっても構わない。
【０１０５】
ここで、キャリングハンドル兼用アンテナ装置１０１と、側面アンテナ３０cおよび３０dのアンテナからの出力信号は、上記ウルキンソン型電力合成器１９で合成する前にフィルタ・アンプ部８で、所望波の濾波および低雑音増幅された後に電力合成される。これにより、電力合成器の損失の影響を小さくし、かつ、電力合成器からアンテナ側への漏れ信号の逆流を防ぐこともできる。
【０１０６】
屋内環境下では、送信局からの直接波とビルからの反射波の両方を略同一レベルの信号として、屋内のアンテナで受信する確率は低く、どちらかの信号が弱い信号レベルの電波となっている確率が高い。つまり、屋内環境下では、例えば、送信局側に近い窓等から入ってきた信号(またはビル等から反射した信号のどちらかの)成分が、卓越した信号となっており、このように一方向から強い電波が入ってきた信号が、屋内の壁や家具等で反射されてマルチパスの信号となっている確率が高い。
【０１０７】
従って、大きな遅延波となる確率は少なく、ＵＨＦ帯の地上デジタル放送で決められているガードインターバル長(ビル等からの反射信号による遅延を想定して設定されている)よりも、遅延波が短くなる確率が高いため、ポートアイソレーションを有した複数のアンテナ出力の単純合成でも、上記ダイバシティ効果を得ることができる。
【０１０８】
この第４実施形態においては、図７に示すように、上記キャリングハンドル兼用アンテナ装置１０１の支持装置５は、一方向(上記ディスプレイの前後方向)に回転する(折り畳める)機能であったが、回転機能はもたず固定された構造であっても構わない。
【０１０９】
また、上記キャリングハンドル兼用アンテナ装置１０１は、アルミ製のパイプで構成したが、キャリングハンドル部を絶縁体の一例として樹脂等で形成し、そのキャリングハンドル部内部に導体線や細い誘電体基板等で、ループアンテナまたは折り返しダイポールアンテナやダイポールアンテナなどのアンテナ部を構成しても構わない。また、上記導体のパイプを、絶縁物で被服したキャリングハンドル兼用アンテナ装置でもよい。
【０１１０】
上記第４実施形態のフラットパネルディスプレイ装置は、地上波デジタル放送等のＯＦＤＭ変調で、ガードインターバルを有した信号波に対して、屋内環境下でのマルチパス信号波の影響が殆ど無視できるため、キャリングハンドル兼用アンテナ装置１０１と側面アンテナ３０b,３０cからの出力を、ポートアイソレーションを有する電力合成器１９により合成するにより、アンテナ出力を平均化することができ、ＴＶチューナ等からの制御が不要となるため、簡易で高速なダイバシティ受信が可能となる。
【０１１１】
なお、上記キャリングハンドル兼用アンテナ装置１０１と側面アンテナ３０b,３０cからの出力を選択して出力するアンテナスイッチと、上記アンテナスイッチにより選択された信号を受けるチューナとを備えた構成であってもよい。
【０１１２】
また、２つの側面アンテナ３０b,３０cをキャリングハンドル兼用アンテナ装置１０１と共に用いることによって、３つ以上のアンテナ出力を合成するため、アンテナから出力信号は平均化され、逆位相合成の確率を小さくすることができる。
【０１１３】
また、複数のアンテナ出力を合成する前に、フィルタ・アンプ部８a〜８cを備えることによって、電力合成および接続時に発生する電力損失を補償するのみならず、低雑音増幅ができ、実質的なＣＮ(キャリア対ノイズ比)値を向上することができると共に、アナログＴＶ放送波や携帯電話、無線ＬＡＮおよび電子レンジからの不要電波の影響を防ぐことができる。
【０１１４】
また、上記第１〜第４実施形態では、キャリングハンドル兼用アンテナ装置にアルミ材等の導体の空洞パイプを用いたが、絶縁体からなるキャリングハンドル部の一例として樹脂状のパイプの中に、導体線や導電性材質でダイポールアンテナやループアンテナなどのアンテナ部を設けてもよい。これによって、加工性,デザイン性にすぐれたキャリングハンドルが可能となり、取り付けが容易で低コストなキャリングハンドル兼用のアンテナが得られる。
【０１１５】
(第５実施形態)
図９はこの発明の第５実施形態の放送受信装置の一例としての録画装置(ＤＶＤ(Digital Versatile Disc：デジタル多用途ディスク)レコーダーやハードディスクレコーダ等)を示す斜視図である。
【０１１６】
この第５実施形態の録画装置は、図９に示すように、録画装置本体１１０に、ダイポールアンテナが内蔵されたキャリングハンドル兼用アンテナ装置１０４が取り付けられている。このキャリングハンドル兼用アンテナ装置１０４も支持装置１０５を有している。上記キャリングハンドル兼用アンテナ装置１０４に内蔵されたダイポールアンテナの中央に給電・フィルタ・アンプ部１１６を設けている。その給電・フィルタ・アンプ部１１６に同軸線路１１３の一端を接続している。上記同軸線路１１３は、キャリングハンドル兼用アンテナ装置１０４内を通って、録画装置本体１１０側の支持装置１０５の中心部を通り、録画装置本体１１０側に接続される。
【０１１７】
さらに、録画装置本体１１０の側面に、側面アンテナ１３０cとしてダイポールアンテナを設けている。上記側面アンテナ１３０cの中央に給電・フィルタ・アンプ部１１６を設けている。なお、図９では、立体図のために側面アンテナ１３０cしか示していないが、録画装置本体１１０の反対側の側面にも側面アンテナとしてダイポールアンテナを設けている。上記側面アンテナ１３０cは、矢印Ｒ５の方向にスライドすることによって、録画装置本体１１０中に収納することもできる。
【０１１８】
さらにまた、ディスプレイ部(液晶表示部)１１１には、受信状況を示すＣＮ比(キャリア対ノイズ)やＢＥＲ(ビットエラーレート)等の指標が表示されることによって、上記録画装置の設置場所が、地上デジタル放送を受信可能かどうか判断することができ、利便性を向上できる。
【０１１９】
ここで、上記第４,第５実施形態のキャリングハンドル兼用アンテナ装置(１０１〜１０４)と側面アンテナ(３０b,３０c,１３０b)はキャリングハンドル兼用アンテナ装置または側面アンテナのどれかに適宜切り替えられるダイバシティ受信を可能としている。詳しくは、上記フラットパネルディスプレイ装置のチューナ部が受信した受信電力値やビットエラーレート値を、アンテナ側にフィードバックさせて上記値の大きさによって、キャリングハンドル兼用アンテナ装置または側面アンテナを切り替える。このような構成によって、側面に搭載された側面アンテナとキャリングハンドル兼用アンテナ装置で受信することによって、屋内受信環境下で、マルチパス信号波を効率良く受信することができ、より受信方向を広くすることできる。
【図面の簡単な説明】
【０１２０】
【図１】図１はこの発明の第１実施形態のアンテナ装置を用いた放送受信装置の一例としてのフラットパネルディスプレイ装置の斜視図である。
【図２】図２(a)は、フラットパネルディスプレイ装置の正面方向と裏面方向からの電波を受信するために、キャリングハンドル兼用アンテナ装置を立てて使用するときの図であり、図２(b)は、キャリングハンドル兼用アンテナ装置を折りたたんで使用するときの図であり、図２(c)は、フラットパネルディスプレイ装置の側面方向からの電波を受信するために、キャリングハンドル兼用アンテナ装置を立てて使用するときの図である。
【図３】図３(a)は、キャリングハンドル兼用アンテナ装置の回路構成図であり、図３(b)は、半楕円形状のキャリングハンドル兼用アンテナ装置の第１の構成図であり、図３(c)は、半楕円形状のキャリングハンドル兼用アンテナ装置の第２の構成図である。
【図４】図４は上記キャリングハンドル兼用アンテナ装置の支持装置の詳細を示す模式図である。
【図５】図５はこの発明の第２実施形態の長円形状のキャリングハンドル兼用アンテナ装置を装着したフラットパネルディスプレイ装置を示す図である。
【図６】図６はこの発明の第３実施形態のＴ型状のキャリングハンドル兼用アンテナ装置を装着したフラットパネルディスプレイ装置を示す図である。
【図７】図７はこの発明の第４実施形態の半楕円形状のキャリングハンドル兼用アンテナ装置を装着したフラットパネルディスプレイ装置を示す図である。
【図８】図８は上記フラットパネルディスプレイ装置の要部の回路構成図である。
【図９】図９はこの発明の第５実施形態の放送受信装置の一例として録画装置を示す斜視図である。
【図１０】図１０は従来の第１のアンテナ装置としての室内アンテナを示す図である。
【図１１】図１１は従来の第２のアンテナ装置としてのロッドアンテナを示す図である。
【符号の説明】
【０１２１】
１…フラットパネルディスプレイ
２…支持台
４…給電回路部
５,１５,１０５…支持装置
８,８a,８b,８c…フィルタ・アンプ部
９…スタンド
１０…導体部
１１…アンテナ端子
１２…電源端子
１３…同軸線路
１４…給電回路部
１９…電力合成器
３０c,３０d…側面アンテナ
３１…キャリングハンドル兼用アンテナ装置の内周
３２…キャリングハンドル兼用アンテナ装置の外周
３３…半楕円形状キャリングハンドル兼用アンテナ装置の第１辺
３４…半楕円形状キャリングハンドル兼用アンテナ装置の第２辺
３９…絶縁部
５１…円筒形の回転部
５２…台座
５３…支持部
５４…孔部
１００…フラットパネルディスプレイ装置
１０１…半楕円形状のキャリングハンドル兼用アンテナ装置
１０２…楕円形状のキャリングハンドル兼用アンテナ装置
１０３…Ｔ型形状のキャリングハンドル兼用アンテナ装置
１０４…キャリングハンドル兼用アンテナ装置
１１０…録画装置本体
１１１…フラットパネルディスプレイ
１１６…給電・フィルタ・アンプ部
２００…室内アンテナ
２０１…ループアンテナ
２０２a,２０２ｂ…ロッドアンテナ
２０３…ロッドアンテナ
２１０…小型テレビ
【図１】
2006174207.tif 000003
【図２】
2006174207.tif 000004
【図３】
2006174207.tif 000005
【図４】
2006174207.tif 000006
【図５】
2006174207.tif 000007
【図６】
2006174207.tif 000008
【図７】
2006174207.tif 000009
【図８】
2006174207.tif 000010
【図９】
2006174207.tif 000011
【図１０】
2006174207.tif 000012
【図１１】
2006174207.tif 000013